(57)【要約】【課題】  本発明は、カメラ部で撮影される被写体像を頭部に装着される表示部に表示可能な頭部装着型撮影装置に関し、カメラ部で撮影される被写体像を拡大縮小するズーム操作を操作部材を視認することなく直感的に比較的容易に行うことを目的とする。【解決手段】  カメラ部で撮影される被写体像を眼前に表示する表示部を使用者の頭部に装着するための装着部と、前記装着部に設けられ、前後方向または上下方向への移動により前記カメラ部で撮影される前記被写体像を拡大縮小するズーム操作を行う操作部材とを備えることを特徴とする。【選択図】      図１
2009192905.tif 000002
【特許請求の範囲】
【請求項１】
カメラ部で撮影される被写体像を眼前に表示する表示部を使用者の頭部に装着するための装着部と、
前記装着部に設けられ、前後方向または上下方向への移動により前記カメラ部で撮影される前記被写体像を拡大縮小するズーム操作を行う操作部材とを備えることを特徴とする頭部装着型撮影装置。
【請求項２】
請求項１記載の頭部装着型撮影装置において、
前記使用者の指の前後方向への移動により前記ズーム操作を行うことを特徴とする頭部装着型撮影装置。
【請求項３】
請求項１または請求項２記載の頭部装着型撮影装置において、
前記装着部は、前後方向に延在され前記表示部が設けられる支持部材を備え、前記支持部材に前記操作部材が設けられていることを特徴とする頭部装着型撮影装置。
【請求項４】
請求項１ないし請求項３のいずれか１項記載の頭部装着型撮影装置において、
前記操作部材は、前記使用者の指の上下方向への移動により前記カメラ部の合焦操作を行う機能を有することを特徴とする頭部装着型撮影装置。
【請求項５】
請求項１ないし請求項４のいずれか１項記載の頭部装着型撮影装置において、
前記操作部材は、前記使用者の指の左右方向への移動による押圧動作により前記カメラ部の撮影実行操作を行う機能を有することを特徴とする頭部装着型撮影装置。
【請求項６】
請求項１ないし請求項５のいずれか１項記載の頭部装着型撮影装置において、
前記カメラ部は、前記表示部または前記装着部に着脱可能に配置されていることを特徴とする頭部装着型撮影装置。
【発明の詳細な説明】
【技術分野】
【０００１】
本発明は、カメラ部で撮影される被写体像を頭部に装着される表示部に表示可能な頭部装着型撮影装置に関する。
【背景技術】
【０００２】
従来、カメラ部で撮影される被写体像を頭部に装着される表示部に表示し、表示される被写体像を見ながら撮影を行う頭部装着型撮影装置が知られている。
【特許文献１】特開２００５−２２３７４９号公報
【発明の開示】
【発明が解決しようとする課題】
【０００３】
しかしながら、上述したような頭部装着型撮影装置において、カメラ部で撮影される被写体像を拡大縮小するズーム操作用の操作部材を、表示部を頭部に装着するための装着部に単に設けると、操作部材を直接視認することができないため、操作部材による拡大縮小の操作がし難いという問題があった。
【０００４】
本発明は、かかる従来の問題を解決するためになされたもので、カメラ部で撮影される被写体像を拡大縮小するズーム操作を操作部材を視認することなく直感的に比較的容易に行うことができる頭部装着型撮影装置を提供することを目的とする。
【課題を解決するための手段】
【０００５】
第１の発明の頭部装着型撮影装置は、カメラ部で撮影される被写体像を眼前に表示する表示部を使用者の頭部に装着するための装着部と、前記装着部に設けられ、前後方向または上下方向への移動により前記カメラ部で撮影される前記被写体像を拡大縮小するズーム操作を行う操作部材とを備えることを特徴とする。
【０００６】
第２の発明の頭部装着型撮影装置は、第１の発明の頭部装着型撮影装置において、前記使用者の指の前後方向への移動により前記ズーム操作を行うことを特徴とする。
【０００７】
第３の発明の頭部装着型撮影装置は、第１または第２の発明の頭部装着型撮影装置において、前記装着部は、前後方向に延在され前記表示部が設けられる支持部材を備え、前記支持部材に前記操作部材が設けられていることを特徴とする。
【０００８】
第４の発明の頭部装着型撮影装置は、第１ないし第３のいずれか１の発明の頭部装着型撮影装置において、前記操作部材は、前記使用者の指の上下方向への移動により前記カメラ部の合焦操作を行う機能を有することを特徴とする。
【０００９】
第５の発明の頭部装着型撮影装置は、第１ないし第４のいずれか１の発明の頭部装着型撮影装置において、前記操作部材は、前記使用者の指の左右方向への移動による押圧動作により前記カメラ部の撮影実行操作を行う機能を有することを特徴とする。
【００１０】
第６の発明の頭部装着型撮影装置は、第１ないし第５のいずれか１の発明の頭部装着型撮影装置において、前記カメラ部は、前記表示部または前記装着部に着脱可能に配置されていることを特徴とする。
【発明の効果】
【００１１】
本発明によれば、カメラ部で撮影される被写体像を拡大縮小するズーム操作を操作部材を視認することなく直感的に比較的容易に行うことができる。
【発明を実施するための最良の形態】
【００１２】
以下、本発明の実施形態を図面を用いて説明する。
(第１の実施形態)
図１は、本発明の第１の実施形態の頭部装着型撮影装置を示している。
【００１３】
この頭部装着型撮影装置は、表示部１１、装着部１３を有している。表示部１１は、使用者の右目に画像を表示する。装着部１３は、表示部１１を使用者の頭部Ｈに装着する。
【００１４】
装着部１３は、左右一対のスピーカ部１５、へッドバンド１７、支持部材１９を有している。左右一対のスピーカ部１５は、使用者の耳に音声を出力する。右側のスピーカ部１５には、頭部装着型撮影装置を制御する制御部２１が配置されている。へッドバンド１７は、左右一対のスピーカ部１５を連結する。支持部材１９は、表示部１１をスピーカ部１５に固定する。
【００１５】
支持部材１９の後部は、右側のスピーカ部１５に固定されている。支持部材１９の先端部は内側に向けて折曲されている。支持部材１９の先端には表示部１１が固定されている。また、支持部材１９の折曲部にはカメラ部２３が固定されている。支持部材１９は、前後方向に延在する長尺状をしている。支持部材１９の長手方向の中央には、操作部材２５が設けられている。操作部材２５の機能は後に詳述する。操作部材２５は、少なくとも使用者の指Ｆの前後方向Ａへの移動により操作される。ここで、使用者の指Ｆの前後方向Ａへの移動とは、頭部装着型撮影装置を頭部Ｈに装着した使用者が、使用者の指Ｆを使用者の前後方向Ａに移動することをいう。
【００１６】
この頭部装着型撮影装置は、へッドバンド１７を頭頂部から被るようにして装着し、左右一対のスピーカ部１５を両耳に当てることにより頭部Ｈに装着される。なお、へッドバンド１７の長さは調整できるようになっている。また、へッドバンド１７は弾力性を有し、２つのスピーカ部１５を両耳に押し付けて固定する機能を有している。すなわち、スピーカ部１５、へッドバンド１７、支持部材１９が、表示部１１を頭部Ｈに装着させる装着部１３となっている。
【００１７】
図２は、上述した頭部装着型撮影装置を示す機能ブロック図である。
【００１８】
頭部装着型撮影装置は、カメラ部２３、記憶部２７、接続部２９、操作部３１、ＣＰＵ３３、表示部１１、スピーカ部１５を有している。記憶部２７、接続部２９、操作部３１の一部、ＣＰＵ３３は、上述した制御部２１に設けられている。
【００１９】
カメラ部２３は、撮像部３５、画像処理部３７、ズーム駆動部３９、合焦駆動部４１、撮影実行部４３を有している。カメラ部２３は、被写体像を撮影する。撮像部３５は、撮影光学系４５、撮像素子４７、Ａ／Ｄ変換部４９を有している。撮影光学系４５は、例えば、可変焦点レンズ、ズームレンズ等を有している。撮像素子４７は、撮影光学系４５により受光面に結像される光学的な被写体像を光電変換してアナログ画像信号を生成する。Ａ／Ｄ変換部４９は、撮像素子４７からのアナログ画像信号をデジタル画像信号に変換する。画像処理部３７は、デジタル画像信号に所定の画像処理を施して画像データを生成する。
【００２０】
ズーム駆動部３９は、撮影光学系４５を駆動し撮像素子４７に受光される被写体像を拡大縮小する。合焦駆動部４１は、被写体像を撮像素子４７の受光面に合焦させる。撮影実行部４３は、機械的あるいは電子的なシャッタを備え撮影を実行する。
【００２１】
記憶部２７には、カメラ部２３で撮影された画像が記憶される。なお、この実施形態の頭部装着型撮影装置は、所謂へッドマウントディスプレイとしての機能を有しており、記憶部２７には、再生する映像情報と音声情報が記憶可能とされている。接続部２９は、ケーブル等を介してパーソナルコンピュータ(以下パソコンという)等の外部機器に接続される。
【００２２】
操作部３１は、電源のオン，オフ、表示の一時停止、表示コンテンツの変更等を行う複数のスイッチ(不図示)を有している。スイッチは、へッドバンド１７あるいはスピーカ部１５の適当な位置に設けることができる。そして、操作部３１は、上述した操作部材２５を有している。操作部材２５を使用者の指Ｆの前後方向Ａへの移動により操作することによりカメラ部２３で撮影される被写体像を拡大縮小するズーム操作を行うことができる。また、操作部材２５を使用者の指Ｆの上下方向Ｂへの移動により操作することによりカメラ部２３の合焦操作を行うことができる。さらに、操作部材２５を使用者の指Ｆの左右方向Ｃへの移動により押圧することによりカメラ部２３の撮影実行操作を行うことができる。
【００２３】
ＣＰＵ３３は、操作部３１から入力される信号に従って各部を制御する。ＣＰＵ３３は、カメラ部２３で撮影される被写体像を表示部１１の液晶ディスプレイ(ＬＣＤ)５１に表示する。そして、表示部１１を見ている使用者により操作部材２５が前後方向Ａに操作されるとズーム駆動部３９を駆動してカメラ部２３で撮影される被写体像を拡大縮小するズーム操作を行う。また、操作部材２５が上下方向Ｂに操作されると合焦駆動部４１を駆動してカメラ部２３の合焦操作を行う。なお、撮影光学系４５がズームレンズからなる場合には合焦操作を行う必要はない。操作部材２５が左右方向Ｃに操作され押圧されると撮影実行部４３を駆動して撮影を実行する。
【００２４】
また、ＣＰＵ３３は、記憶部２７に記憶されるカメラ部２３で撮影された画像、映像情報を、操作部３１から入力される信号に従って処理し表示部１１の液晶ディスプレイ(ＬＣＤ)に表示する。また、ＣＰＵ３３は、記憶部２７に記憶される音声情報を、操作部３１から入力される信号に従って処理しスピーカ部１５のスピーカ５３を駆動する。
【００２５】
図３は、支持部材１９に配置される操作部材２５の詳細を示している。
【００２６】
この実施形態では、図３の(ａ)に示すように、操作部材２５が、前後方向Ａおよび上下方向Ｂ(前後方向Ａに直交する方向)に傾斜可能なレバー部材２５Ａとされている。レバー部材２５Ａは支点を中心に前後方向Ａおよび上下方向Ｂに所定角度だけ傾斜可能とされている。そして、指Ｆを離すと中央位置に戻るように付勢されている。また、レバー部材２５Ａは、支点方向(左右方向Ｃの左方向)に押圧可能とされている。そして、指Ｆを離すと元の位置に戻るように付勢されている。
【００２７】
レバー部材２５Ａを前後方向Ａに操作することによりカメラ部２３で撮影される被写体像が拡大縮小され、同時に表示部１１に表示される。レバー部材２５Ａを前側に倒すと、ＣＰＵ３３は被写体像が縮小するようにズーム駆動部３９を駆動する。レバー部材２５Ａを前側に倒している時間に対応して被写体像が順次縮小される。そして、指Ｆを離すとレバー部材２５Ａが中央位置に戻り被写体像の大きさが設定される。図３の(ｂ)は、表示部１１の液晶ディスプレイ５１に現在表示されている被写体像を示している。この状態からレバー部材２５Ａを前側に倒すと被写体像が順次縮小される。そして、最も縮小された状態では図３の(ｃ)に示すようになる。
【００２８】
一方、レバー部材２５Ａを後側に倒すと、ＣＰＵ３３は被写体像が拡大するようにズーム駆動部３９を駆動する。レバー部材２５Ａを後側に倒している時間に対応して被写体像が順次拡大される。そして、指Ｆを離すとレバー部材２５Ａが中央位置に戻り被写体像の大きさが設定される。図３の(ｂ)は、表示部１１の液晶ディスプレイ５１に現在表示されている被写体像を示している。この状態からレバー部材２５Ａを後側に倒すと被写体像が順次拡大される。そして、最も拡大された状態では図３の(ｄ)に示すようになる。
【００２９】
レバー部材２５Ａを上下方向Ｂに倒すと、ＣＰＵ３３は合焦駆動部４１を駆動する。レバー部材２５Ａを上下方向Ｂに倒している時間に対応して焦点位置が変更される。そして、指Ｆを離すとレバー部材２５Ａが中央位置に戻り焦点位置が設定される。レバー部材２５Ａを左右方向Ｃの左方向に押圧するとＣＰＵ３３は撮影実行部４３を駆動して撮影を実行する。
【００３０】
上述した頭部装着型撮影装置では、カメラ部２３で撮影される被写体像を拡大縮小するズーム操作を、使用者の指Ｆを前後方向Ａに移動し、レバー部材２５Ａを前後方向Ａに傾斜させる操作により行うようにしたので、ズーム操作を直感的に比較的容易に行うことができる。すなわち、頭部装着型撮影装置を頭部Ｈに装着し、眼前の表示部１１の被写体像を見ている使用者にとって、レバー部材２５Ａの前後方向Ａへの傾斜により画像が拡大縮小することは、ズームレンズ等の操作と同様に直感的なもので違和感が少なく操作がし易くなる。
【００３１】
また、前後方向Ａに延在され表示部１１を支持する支持部材１９にレバー部材２５Ａを設けたので、頭部装着型撮影装置を頭部Ｈに装着し、レバー部材２５Ａが見えない状態でもレバー部材２５Ａを比較的容易に操作することができる。すなわち、支持部材１９は前後方向Ａに延在され長尺状をしているため、支持部材１９に沿って指Ｆを移動することによりレバー部材２５Ａに指Ｆを比較的容易に掛けることができる。
【００３２】
そして、１本のレバー部材２５Ａを、前後方向Ａ、上下方向Ｂ、左右方向Ｃに操作することにより、ズーム操作、合焦操作、撮影操作を可能にしたので、それぞれの操作部材を手探りで探す必要がなくなり、撮影に必要な操作を容易，確実に行うことができる。
【００３３】
なお、レバー部材２５Ａを上下方向Ｂに操作することにより、ズーム操作を行うようにしても良い。
(第２の実施形態)
図４は、本発明の第２の実施形態の頭部装着型撮影装置を示している。
【００３４】
なお、この実施形態において第１の実施形態と同一の要素には同一の符号を付して詳細な説明を省略する。また、この実施形態の頭部装着型撮影装置の機能ブロックは第１の実施形態と略同様であるので図２の機能ブロック図を援用する。
【００３５】
この実施形態では、カメラ部２３Ａが、装着部１３に着脱可能に配置されている。カメラ部２３Ａは、図２の接続部２９にケーブル５５を介して接続される。なお、無線で接続するようにしても良いし、インターネット等を経由して遠隔地に設置されたカメラを操作しても良い。
【００３６】
この実施形態では、装着部１３にカメラ部２３Ａが配置されないため装着部１３の重量を軽減することができる。また、カメラ部２３Ａのみを移動することにより種々の撮影を行うことができる。例えば、人間が入れない狭い場所の撮影等が容易に可能になる。そして、接続部２９からケーブル５５を取り外すことによりカメラ部２３Ａが邪魔になることがなくなりへッドマウントディスプレイとしての使用が容易に可能になる。
(第３の実施形態)
図５は、本発明の第３の実施形態の頭部装着型撮影装置の操作部材２５を示している。なお、この実施形態において第１の実施形態と同一の要素には同一の符号を付して詳細な説明を省略する。
【００３７】
この実施形態では、操作部材２５が、前後方向Ａに回動可能なダイヤル部材２５Ｂとされている。ダイヤル部材２５Ｂは軸部(不図示)を中心にして前後方向Ａに所定角度だけ回動可能とされている。そして、任意の位置で停止可能とされている。また、ダイヤル部材２５Ｂは、軸部(不図示)を中心に上下方向Ｂ(前後方向Ａに直交する方向)に所定角度だけ傾斜可能とされている。そして、指Ｆを離すと元の位置に戻るように付勢されている。さらに、ダイヤル部材２５Ｂは、左右方向Ｃの左方向に押圧可能とされている。そして、指Ｆを離すと元の位置に戻るように付勢されている。
【００３８】
この実施形態では、ダイヤル部材２５Ｂを前後方向Ａに操作することによりカメラ部２３で撮影される被写体像が拡大縮小され、同時に表示部１１に表示される。ダイヤル部材２５Ｂを前側に回動すると、ＣＰＵ３３は被写体像が縮小するようにズーム駆動部３９を駆動する。ダイヤル部材２５Ｂを後側に回動すると、ＣＰＵ３３は被写体像が拡大するようにズーム駆動部３９を駆動する。ダイヤル部材２５Ｂを上下方向Ｂに倒すと、ＣＰＵ３３は合焦駆動部４１を駆動する。ダイヤル部材２５Ｂを上下方向Ｂに倒している時間に対応して焦点位置が変更される。そして、指Ｆを離すとダイヤル部材２５Ｂが中央位置に戻り焦点位置が設定される。ダイヤル部材２５Ｂを左右方向Ｃの左方向に押圧するとＣＰＵ３３は撮影実行部４３を駆動して撮影を実行する。
(第４の実施形態)
図６は、本発明の第４の実施形態の頭部装着型撮影装置の操作部材２５を示している。なお、この実施形態において第１の実施形態と同一の要素には同一の符号を付して詳細な説明を省略する。
【００３９】
この実施形態では、操作部材２５が、円筒状の筒状部材２５Ｃとされている。筒状部材２５Ｃは、円柱状の支持部材１９に前後方向Ａに移動可能に被嵌されており、予め定められたストロークだけ移動可能とされている。そして、ストロークの任意の位置で停止可能とされている。また、筒状部材２５Ｃは、支持部材１９を中心に上下方向Ｂ(前後方向Ａに直交する方向)に所定角度だけ回動可能とされている。そして、任意の位置で停止可能とされている。さらに、筒状部材２５Ｃは、左右方向Ｃの左方向に押圧可能とされている。そして、指Ｆを離すと元の位置に戻るように付勢されている。
【００４０】
この実施形態では、筒状部材２５Ｃを前後方向Ａに操作することによりカメラ部２３で撮影される被写体像が拡大縮小され、同時に表示部１１に表示される。筒状部材２５Ｃを前側に移動すると、ＣＰＵ３３は被写体像が縮小するようにズーム駆動部３９を駆動する。筒状部材２５Ｃを後側に移動すると、ＣＰＵ３３は被写体像が拡大するようにズーム駆動部３９を駆動する。筒状部材２５Ｃを上下方向Ｂに回動すると、ＣＰＵ３３は合焦駆動部４１を駆動する。そして、筒状部材２５Ｃの回動位置に焦点位置が設定される。筒状部材２５Ｃを左方向に押圧するとＣＰＵ３３は撮影実行部４３を駆動して撮影を実行する。
(第５の実施形態)
図７は、本発明の第５の実施形態の頭部装着型撮影装置の操作部材２５を示している。なお、この実施形態において第１の実施形態と同一の要素には同一の符号を付して詳細な説明を省略する。
【００４１】
この実施形態では、操作部材２５が、前後方向Ａに移動可能なスライド部材２５Ｄとされている。そして、任意の位置で停止可能とされている。
【００４２】
この実施形態では、スライド部材２５Ｄを前後方向Ａに操作することによりカメラ部２３で撮影される被写体像が拡大縮小され、同時に表示部１１に表示される。筒状部材２５Ｃを前側に移動すると、ＣＰＵ３３は被写体像が縮小するようにズーム駆動部３９を駆動する。筒状部材２５Ｃを後側に移動すると、ＣＰＵ３３は被写体像が拡大するようにズーム駆動部３９を駆動する。
【００４３】
なお、この実施形態では、合焦駆動部４１を駆動する操作部材、撮影実行部４３を駆動する操作部材が、例えば、制御部２１あるいはスライド部材２５Ｄの近傍に設けられている。
(第６の実施形態)
図８は、本発明の第６の実施形態の頭部装着型撮影装置の操作部材２５を示している。なお、この実施形態において第１の実施形態と同一の要素には同一の符号を付して詳細な説明を省略する。
【００４４】
この実施形態では、操作部材２５が、支持部材１９の前後方向Ａに並んで配置される複数の押圧部材２５Ｅとされている。複数の押圧部材２５Ｅは、指Ｆにより軽く押圧可能であり、複数の押圧部材２５Ｅによりスイッチ群が形成されている。
【００４５】
この実施形態では、使用者の指Ｆを前後方向Ａに移動して、押圧部材２５Ｅを前後方向Ａに順次押圧することによりカメラ部２３で撮影される被写体像が拡大縮小され、同時に表示部１１に表示される。最も前側の押圧部材２５Ｅを押圧するとＣＰＵ３３は被写体像が最も縮小するようにズーム駆動部３９を駆動する。最も後側の押圧部材２５Ｅを押圧するとＣＰＵ３３は被写体像が最も拡大するようにズーム駆動部３９を駆動する。そして、最後に押圧した押圧部材２５Ｅに対応して被写体像の大きさが設定される。
【００４６】
なお、この実施形態では、合焦駆動部４１を駆動する操作部材、撮影実行部４３を駆動する操作部材が、例えば、制御部２１あるいは押圧部材２５Ｅの近傍に設けられている。
(第７の実施形態)
図９は、本発明の第７の実施形態の頭部装着型撮影装置の操作部材２５を示している。なお、この実施形態において第１の実施形態と同一の要素には同一の符号を付して詳細な説明を省略する。
【００４７】
この実施形態では、操作部材２５が、支持部材１９の前後方向Ａに沿って形成されるタッチパネル２５Ｆとされている。タッチパネル２５Ｆには、指Ｆを接触可能であり、指Ｆの接触した部分の位置が位置信号としてＣＰＵ３３に出力され、位置信号に対応して被写体像が拡大縮小される。
【００４８】
この実施形態では、使用者の指Ｆを前後方向Ａに移動して、タッチパネル２５Ｆを前後方向Ａに順次接触することによりカメラ部２３で撮影される被写体像が拡大縮小され、同時に表示部１１に表示される。タッチパネル２５Ｆの最も前側に接触するとＣＰＵ３３は被写体像が最も縮小するようにズーム駆動部３９を駆動する。タッチパネル２５Ｆの最も後側に接触するとＣＰＵ３３は被写体像が最も拡大するようにズーム駆動部３９を駆動する。そして、最後に接触した位置に対応して被写体像の大きさが設定される。
【００４９】
なお、この実施形態では、合焦駆動部４１を駆動する操作部材、撮影実行部４３を駆動する操作部材が、例えば、制御部２１あるいはタッチパネル２５Ｆの近傍に設けられている。
(実施形態の補足事項)
以上、本発明を上述した実施形態によって説明してきたが、本発明の技術的範囲は上述した実施形態に限定されるものではなく、例えば、以下のような形態でも良い。
【００５０】
(１)上述した実施形態では、撮影光学系４５を駆動する光学ズームにより被写体像を拡大縮小した例について説明したが、例えば、デジタル画像信号を補間処理するデジタルズームにより被写体像を拡大縮小するようにしても良い。
【００５１】
(２)上述した実施形態では、支持部材１９をスピーカ部１５に単に固定した例について説明したが、例えば、支持部材１９をスピーカ部１５に対して回転可能に固定し、使用時にのみ支持部材１９を前後方向Ａに向けて配置するようにしても良い。
【００５２】
(３)上述した実施形態において、支持部材１９を伸縮可能に構成し、支持部材１９を伸ばした時に操作部材２５を操作可能にしても良い。
【００５３】
(４)上述した実施形態では、支持部材１９に操作部材２５を配置した例について説明したが、例えば、前後方向Ａに操作可能な操作部材２５をスピーカ部１５に配置しても良い。
【図面の簡単な説明】
【００５４】
【図１】本発明の頭部装着型撮影装置の第１の実施形態を示す説明図である。
【図２】図１の頭部装着型撮影装置の機能ブロックを示す説明図である。
【図３】図１の操作部材の詳細を示す説明図である。
【図４】本発明の頭部装着型撮影装置の第２の実施形態を示す説明図である。
【図５】本発明の頭部装着型撮影装置の第３の実施形態を示す説明図である。
【図６】本発明の頭部装着型撮影装置の第４の実施形態を示す説明図である。
【図７】本発明の頭部装着型撮影装置の第５の実施形態を示す説明図である。
【図８】本発明の頭部装着型撮影装置の第６の実施形態を示す説明図である。
【図９】本発明の頭部装着型撮影装置の第７の実施形態を示す説明図である。
【符号の説明】
【００５５】
１１…表示部、１３…装着部、１５…スピーカ部、１９…支持部材、２３，２３Ａ…カメラ部、２５…操作部材、２５Ａ…レバー部材、２５Ｂ…ダイヤル部材、２５Ｃ…筒状部材、２５Ｄ…スライド部材、２５Ｅ…押圧部材、２５Ｆ…タッチパネル、３３…ＣＰＵ、３５…撮像部、３９…ズーム駆動部、４１…合焦駆動部、４３…撮影実行部、５１…液晶ディスプレイ、Ｆ…指、Ｈ…頭部。
【図１】
2009192905.tif 000003
【図２】
2009192905.tif 000004
【図３】
2009192905.tif 000005
【図４】
2009192905.tif 000006
【図５】
2009192905.tif 000007
【図６】
2009192905.tif 000008
【図７】
2009192905.tif 000009
【図８】
2009192905.tif 000010
【図９】
2009192905.tif 000011